(57)【要約】【課題】ＩＣカード等のカード体をハウジングに対し挿抜する際の操作性に優れた取出し機構付きカードコネクタの提供。【解決手段】カード取り出し機構６は、カード挿入部２の内底面部上をカード体Ａと共にカード挿抜方向で摺動するエジェクタ１１と、カード挿入部２のカード挿抜方向奥側に回動可能に軸支され、一端がエジャクタ１１上面部に相対移動可能に連結された金属製の回動レバー１０と、回動レバー１０の他端を押圧し、エジェクタ１１をカード取り出し位置Ｐ２側へ移動させる方向に回動レバー１０を回動させるプッシュバー１２とを備え、回動レバー１０がエジェクタ１１を介してハウジング３に支持され、弾性接触片部５０の突出高さＨ１より高い位置Ｈ２に保持されるようにした。【選択図】図３
2014203613.tif 000002
【特許請求の範囲】
【請求項１】
カード体が挿入されるカード挿入部が形成されたハウジングと、前記カード挿入部の内底面部より突出して前記カード体の片面側に露出した信号伝達端子と接触する弾性接触片部を有する複数のコンタクトと、前記カード体を前記カード挿入部より押し出すためのカード取り出し機構とを備えたカードコネクタにおいて、
前記カード取り出し機構は、前記カード挿入部の内底面部上を前記カード体と共にカード挿抜方向に間隔を置いた所望のカード挿入位置とカード取り出し位置との間で摺動するエジェクタと、前記カード挿入部のカード挿抜方向奥側に回動可能に軸支され、一端が前記エジャクタ上面部に相対移動可能に連結された金属製の回動レバーと、該回動レバーの他端を押圧し、前記エジェクタを前記カード取り出し位置側へ移動させる方向に前記回動レバーを回動させるプッシュバーとを備え、
前記回動レバーが前記エジェクタを介して前記ハウジングに支持され、前記弾性接触片部の突出高さより高い位置に保持されるようにしたことを特徴としてなる取出し機構付きカードコネクタ。
【請求項２】
前記エジェクタは、前記回動レバーの下面側、且つ、前記摺動時に前記コンタクト上を移動可能な配置に絶縁性部材からなる絶縁部を備え、該絶縁部が前記回動レバーと前記コンタクトとの間に介在されるようにした請求項１に記載の取出し機構付きカードコネクタ。
【請求項３】
前記カード体にカード挿入方向奥部側縁に位置決め用切欠き部を有するカードを使用し、前記エジェクタに前記位置決め用切欠き部と互いに嵌合する位置決め用嵌合部を備えた請求項１又は２に記載の取出し機構付きカードコネクタ。
【請求項４】
前記エジェクタは、絶縁性合成樹脂により一体成形されてなる請求項１、２又は３に記載の取出し機構付きカードコネクタ。
【請求項５】
前記絶縁部にコンタクト側に膨出した凸状の押圧部を備え、前記絶縁部が前記コンタクト上を移動する際に前記押圧部が前記弾性接触片部を押し下げるようにしてなる請求項２、３又は４に記載の取出し機構付きカードコネクタ。
【請求項６】
前記コンタクトに、一端を前記ハウジングに支持された支持端、他端を前記カード挿入部の内底部に摺動可能な可動端とするとともに、前記支持端と可動端との間に前記カード挿入部内底面より浮き上がり配置に接点部が形成されてなるへの字状の弾性接触片部を備えた請求項１〜４又は５に記載の取出し機構付きカードコネクタ。
【請求項７】
前記ハウジングの前記回動レバーと互いに対向する内面部に所望の位置で前記回動レバーと互いに係合する係合突起を備えた請求項１〜５又は６に記載の取出し機構付きカードコネクタ。
【請求項８】
前記プッシュバーを前記回動レバーより離脱可能に配置するとともに、前記プッシュバーを前記回動レバーより離脱する方向に付勢するバネ体を備えた請求項１〜６又は７に記載の取出し機構付きカードコネクタ。
【請求項９】
前記ハウジングに前記プッシュバーが移動可能に収容されるプッシュバー収容部と、該プッシュバー収容部内底面の所望の位置に配置された複数のスイッチ端子とを備え、
前記プッシュバーは、絶縁性合成樹脂からなる本体部と、該本体部の底面側に露出する複数の弾性スイッチ片部を有する導電性金属材製のスイッチ部材とを備え、
前記プッシュバーを移動させることにより、前記所望の位置で前記各スイッチ端子に前記各弾性スイッチ片部がそれぞれ接触し、前記スイッチ部材を介して前記スイッチ端子間が導通されるようにした請求項１〜７又は８に記載の取出し機構付きカードコネクタ。
【発明の詳細な説明】
【技術分野】
【０００１】
本発明は、ＩＣカードやフラッシュメモリーカード等のカードを電子機器に接続するためのカードコネクタであって、特に、カード取り出し機構を備えた取出し機構付きカードコネクタに関する。
【背景技術】
【０００２】
従来、この種のカードコネクタにおいては、プッシュバーを操作することによりカードをハウジング内より取り出すことができる取出し機構を備えたものが広く知られている（例えば、特許文献１）。
【０００３】
このカードコネクタの取出し機構は、ハウジングのカード挿抜方向奥側に回動可能に支持された回動レバーと、この回動レバーの一端に連結されたプッシュバーとを備え、このプッシュバーをカード挿入方向にスライド移動させ、回動レバーの一方の端部を押し込むことにより回動レバーを回動させ、回動レバーの他端側でカードの奥側縁を排出方向に押し出すようになっている。
【０００４】
即ち、プッシュバーの押し込み動作は、回動レバーを介して回転力に変換され、当該回転力を利用してカードを押し出すようになっている。
【０００５】
尚、このカード取出し機構に使用される回動レバーには、強度上の観点から金属板材が使用されるのが一般的である。
【先行技術文献】
【特許文献】
【０００６】
【特許文献１】特開平１０−１８９１３９号公報
【発明の概要】
【発明が解決しようとする課題】
【０００７】
しかしながら、上述の如き従来の技術では、カードの前端縁に回動レバーの一端部が直接当接するため、カードに対し回動レバーの回転力が押し出し方向（カードの挿抜方向）とカード幅方向とに分散して作用し、その為、プッシュバーの押し込み動作がカードを押し出す方向の力に効率よく伝達できないという問題があった。
【０００８】
また、このような取出し機構では、回動レバーの回動可能量を大きく設定し、金属製の回動レバーの一端側がコンタクト上にまで到達するようにすると、回動レバーがコンタクトと接触し、各コンタクト間又はコンタクトと他の回路間で回動レバーを介して短絡する虞があり、また、回動レバーとコンタクトとが接触すると、コンタクトに対してカード挿抜方向と交差する方向、即ち、変形を許容できない方向の力が作用するため、コンタクトが座屈してしまう虞もあった。
【０００９】
そこで、従来の技術では、回動レバーの回転可能量（回動可能角度）を制限することにより、回動レバーとコンタクトとの接触を回避していたが、その為に回動レバーによるカード押出し量も制限されてしまうという問題があった。
【００１０】
また、従来の技術では、カードの前端縁に回動レバーの一端部が直接当接しているため、プッシュバーの押し込み動作に伴う力が回動レバーを介して直接カードに伝達される構造のため、プッシュバーを勢いよく押し込むとその勢いが減衰されずに回動レバーを介してカードに伝達され、その勢いによってハウジングよりカードが飛び出してしまい、カードが破損する虞があった。
【００１１】
更に、従来の回動レバーは、コネクタ厚み方向で規制されていない状態（フリーな状態）になっているので、ガタつき等による異音の原因となる虞があるとともに、回動レバーがコンタクトに接触し、コンタクトの座屈の原因となる虞があった。
【００１２】
そこで本発明は、このような従来の問題に鑑み、ＩＣカード等のカード体をハウジングに対し挿抜する際の操作性に優れた取出し機構付きカードコネクタの提供を目的としてなされたものである。
【課題を解決するための手段】
【００１３】
上述の如き従来の問題を解決し、所期の目的を達成するための請求項1に記載の発明の特徴は、カード体が挿入されるカード挿入部が形成されたハウジングと、前記カード挿入部の内底面部より突出して前記カード体の片面側に露出した信号伝達端子と接触する弾性接触片部を有する複数のコンタクトと、前記カード体を前記カード挿入部より押し出すためのカード取り出し機構とを備えたカードコネクタにおいて、前記カード取り出し機構は、前記カード挿入部の内底面部上を前記カード体と共にカード挿抜方向に間隔を置いた所望のカード挿入位置とカード取り出し位置との間で摺動するエジェクタと、前記カード挿入部のカード挿抜方向奥側に回動可能に軸支され、一端が前記エジャクタ上面部に相対移動可能に連結された金属製の回動レバーと、該回動レバーの他端を押圧し、前記エジェクタを前記カード取り出し位置側へ移動させる方向に前記回動レバーを回動させるプッシュバーとを備え、前記回動レバーが前記エジェクタを介して前記ハウジングに支持され、前記弾性接触片部の突出高さより高い位置に保持されるようにした取出し機構付きコネクタにある。
【００１４】
請求項２に記載の発明の特徴は、請求項１の構成に加え、前記エジェクタは、前記回動レバーの下面側、且つ、前記摺動時に前記コンタクト上を移動可能な配置に絶縁性部材からなる絶縁部を備え、該絶縁部が前記回動レバーと前記コンタクトとの間に介在されるようにしたことにある。
【００１５】
請求項３に記載の発明の特徴は、請求項１又は２の構成に加え、前記カード体にカード挿入方向奥部側縁に位置決め用切欠き部を有するカードを使用し、前記エジェクタに前記位置決め用切欠き部と互いに嵌合する位置決め用嵌合部を備えたことにある。
【００１６】
請求項４に記載の発明の特徴は、請求項１、２又は３の構成に加え、前記エジェクタは、絶縁性合成樹脂により一体成形されてなることにある。
【００１７】
請求項５に記載の発明の特徴は、請求項２、３又は４の構成に加え、前記絶縁部にコンタクト側に膨出した凸状の押圧部を備え、前記絶縁部が前記コンタクト上を移動する際に前記押圧部が前記弾性接触片部を押し下げるようにしたことにある。
【００１８】
請求項６に記載の発明の特徴は、請求項１〜４又は５の構成に加え、前記コンタクトに、一端を前記ハウジングに支持された支持端、他端を前記カード挿入部の内底部に摺動可能な可動端とするとともに、前記支持端と可動端との間に前記カード挿入部内底面より浮き上がり配置に接点部が形成されてなるへの字状の弾性接触片部を備えたことにある。
【００１９】
請求項７に記載の発明の特徴は、請求項１〜５又は６の構成に加え、前記ハウジングの前記回動レバーと互いに対向する内面部に所望の位置で前記回動レバーと互いに係合する係合突起を備えたことにある。
【００２０】
請求項８に記載の発明の特徴は、請求項１〜６又は７の構成に加え、前記プッシュバーを前記回動レバーより離脱可能に配置するとともに、前記プッシュバーを前記回動レバーより離脱する方向に付勢するバネ体を備えたことにある。
【００２１】
請求項９に記載の発明の特徴は、請求項１〜７又は８の構成に加え、前記ハウジングに前記プッシュバーが移動可能に収容されるプッシュバー収容部と、該プッシュバー収容部内底面の所望の位置に配置された複数のスイッチ端子とを備え、前記プッシュバーは、絶縁性合成樹脂からなる本体部と、該本体部の底面部に露出する複数の弾性スイッチ片部を有する導電性金属材製のスイッチ部材とを備え、前記プッシュバーを移動させることにより、前記所望の位置で前記各スイッチ端子に前記各弾性スイッチ片部がそれぞれ接触し、前記スイッチ部材を介して前記スイッチ端子間が導通されるようにしたことにある。
【発明の効果】
【００２２】
本発明に係るカードコネクタは、上述したように、カード体が挿入されるカード挿入部が形成されたハウジングと、前記カード挿入部の内底面部より突出して前記カード体の片面側に露出した信号伝達端子と接触する弾性接触片部を有する複数のコンタクトと、前記カード体を前記カード挿入部より押し出すためのカード取り出し機構とを備えたカードコネクタにおいて、前記カード取り出し機構は、前記カード挿入部の内底面部上を前記カード体と共にカード挿抜方向に間隔を置いた所望のカード挿入位置とカード取り出し位置との間で摺動するエジェクタと、前記カード挿入部のカード挿抜方向奥側に回動可能に軸支され、一端が前記エジャクタ上面部に相対移動可能に連結された金属製の回動レバーと、該回動レバーの他端を押圧し、前記エジェクタを前記カード取り出し位置側へ移動させる方向に前記回動レバーを回動させるプッシュバーとを備え、前記回動レバーが前記エジェクタを介して前記ハウジングに支持され、前記弾性接触片部の突出高さより高い位置に保持されるようにしたことにより、回動レバーの回動運動を効率よくカード押し出し方向の力に変換できるとともに、回動レバーが常に軸支部分とエジェクタとの２点で支持され、ガタつきを防止し、安定した操作性を確保することができる。また、回動レバーが前記弾性接触片部の突出高さより高い位置に保持されるので、回動レバーとコンタクトとの接触を回避し、コンタクトの座屈を防止することができ、回動レバーの回動可能角度が制限されず、回動レバーをコンタクト上まで到達できるようにすることができ、それに伴ってカードの押し出し量も多く取ることができ、好適にカードを取り出すことができる。
【００２３】
また、本発明において、前記エジェクタは、前記回動レバーの下面側、且つ、前記摺動時に前記コンタクト上を移動可能な配置に絶縁性部材からなる絶縁部を備え、該絶縁部が前記回動レバーと前記コンタクトとの間に介在されるようにしたことにより、絶縁部によりコンタクトと回動レバーとが絶縁されるので、回動レバーの回動可能角度が制限されず、回動レバーをコンタクト上まで到達できるようにすることができ、それに伴ってカードの押し出し量も多く取ることができ、好適にカードを取り出すことができる。また、回動レバーとコンタクトとの間に介在される押出し用エジェクタ（絶縁部）がカード挿抜方向でのみ移動するので、コンタクトにカード挿抜方向と交差する方向、即ち、変形を許容できない方向の力が作用することがなく、コンタクトの座屈を防止することができる。
【００２４】
更にまた、本発明において、前記カード体にカード挿入方向奥部側縁に位置決め用切欠き部を有するカードを使用し、前記エジェクタに前記位置決め用切欠き部と互いに嵌合する位置決め用嵌合部を備えたことにより、カードの誤挿入を防止することができるとともに、押出し用エジェクタがカードとフィットした状態でカードの挿入・取出し動作ができる。
【００２５】
また、本発明において、前記エジェクタは、絶縁性合成樹脂により一体成形されてなることにより、絶縁部材からなる絶縁部を有する押出し用エジェクタを安価に製造できる。
【００２６】
更に、本発明において、前記絶縁部にコンタクト側に膨出した凸状の押圧部を備え、前記絶縁部が前記コンタクト上を移動する際に前記押圧部が前記弾性接触片部を押し下げるようにしてなることにより、コンタクトがダンパー効果を発揮し、回動レバーを介して伝達されるプッシュバーの押し込み動作時の勢いを好適に緩和し、カードの飛び出しを防止できる。
【００２７】
更にまた、本発明において、前記コンタクトに、一端を前記ハウジングに支持された支持端、他端を前記カード挿入部の内底部に摺動可能な可動端とするとともに、前記支持端と可動端との間に前記カード挿入部内底面より浮き上がり配置に接点部が形成されてなるへの字状の弾性接触片部を備えたことにより、コンタクトに対するエジェクタの移動が円滑となる。
【００２８】
また、本発明において、前記ハウジングの前記回動レバーと互いに対向する内面部に所望の位置で前記回動レバーと互いに係合する係合突起を備えたことにより、例えば、所望のカード挿入位置やカード取り出し位置で回動レバー及びエジェクタを仮ロックすることができる。
【００２９】
更に、本発明において、前記プッシュバーを前記回動レバーより離脱可能に配置するとともに、前記プッシュバーを前記回動レバーより離脱する方向に付勢するバネ体を備えたことにより、押し込み動作時以外、プッシュバーが回動レバーの位置に関係なく常に押し込み可能な位置にあるので、誤操作にも対応することができる。
【００３０】
更にまた、本発明において、前記ハウジングに前記プッシュバーが移動可能に収容されるプッシュバー収容部と、該プッシュバー収容部内底面の所望の位置に配置された複数のスイッチ端子とを備え、前記プッシュバーは、絶縁性合成樹脂からなる本体部と、該本体部の底面に露出する複数の弾性スイッチ片部を有する導電性金属材製のスイッチ部材とを備え、前記プッシュバーを移動させることにより、前記所望の位置で前記各スイッチ端子に前記各弾性スイッチ片部がそれぞれ接触し、前記スイッチ部材を介して前記スイッチ端子間が導通されるようにしたことにより、プッシュバーにスイッチ機能を有することができる。
【図面の簡単な説明】
【００３１】
【図１】本発明に係る取出し機構付きカードコネクタの一例を示す斜視図である。
【図２】同上の下側から見た斜視図である。
【図３】図１中のＡ−Ａ線断面図であって、シールドカバーを取り外した状態の図である。
【図４】同上の分解斜視図である。
【図５】カード体の一例を示す底面図である。
【図６】図４中のハウジング本体を示す斜視図である。
【図７】（ａ）は図４中の回動レバーを示す拡大平面図、（ｂ）は同正面図である。
【図８】（ａ）は同上のエジェクタを示す拡大斜視図、（ｂ）は同下側から見た斜視図である。
【図９】図６中の各コンタクトの配置を示す拡大斜視図である。
【図１０】図６中のコンタクトの組み込み状態を示す部分拡大斜視図である。
【図１１】（ａ）は図４中のプッシュバーを示す斜視図、（ｂ）は同下から見た斜視図である。
【図１２】スイッチの動作状態を示す断面図である。
【図１３】（ａ）〜（ｄ）は本発明に係るカードコネクタの動作状態を示すシールドカバーを外した状態の平面図である。
【発明を実施するための形態】
【００３２】
次に、本発明係る取出し機構付きカードコネクタの実施の態様を図１〜図１３に示す実施例に基づいて説明する。尚、図中符号ＡはＩＣカード等のカード体、符号１は取出し機構付きカードコネクタ（以下、単にカードコネクタ１という）である。
【００３３】
カード体Ａは、図５に示す如きＩＣカードであって、カード全幅に比してカード全長が長い矩形状に形成され、矩形状の一方の隅部に斜め方向に切欠いた形状の位置決め用切欠き部Ａａが形成されている。
【００３４】
また、このカード体Ａの片面には、複数の信号伝達端子（パッド）ａ１〜ａ６を形成され、各信号伝達端子ａ１〜ａ６がそれぞれカード挿抜方向に間隔を置いて２段配置に配列されている。  
【００３５】
カードコネクタ１は、カード体Ａが挿入されるカード挿入部２を有するハウジング３と、ハウジング３に支持されてカード挿入部２の内底部より突出した導電性金属材からなる２種類のコンタクト４，４...及びコンタクト５とを備え、カード挿入部２に挿入されたカード体Ａの片面側に露出した信号伝達端子ａ１〜ａ６が対応する各コンタクト４，４...又はコンタクト５と接触することにより、カードコネクタ１を介してカード体Ａと接続基板とを電気的に接続するようになっている。
【００３６】
また、このカードコネクタ１は、カード体Ａをカード挿入部２より押し出すためのカード取り出し機構６を備え、ハウジング３にカード挿入方向で押し込み可能に備えられたプッシュバー１２を操作することにより、カード体Ａをハウジング３より押し出し、取出せるようになっている。
【００３７】
このカード取り出し機構６は、カード挿入部２の内底面部上をカード体Ａと共にカード挿抜方向に間隔を置いた所望のカード挿入位置Ｐ１とカード取り出し位置Ｐ２との間で摺動するエジェクタ１１と、カード挿入部２のカード挿抜方向奥側に回動可能に軸支され、一端がエジャクタ１１上面部に相対移動可能に連結された金属製の回動レバー１０と、回動レバー１０の他端を押圧し、エジェクタをカード取り出し位置Ｐ２側へ移動させる方向に回動レバー１０を回動させるプッシュバー１２とを備え、プッシュバー１２を押し込むことにより、回動レバー１０が回動動作し、それと連動してエジェクタ１１がカード挿抜方向に間隔を置いた所望のカード挿入位置Ｐ１からカード取り出し位置Ｐ２へスライド移動し、それに伴ってカード体Ａが押し出されるようになっている。
【００３８】
ハウジング３は、絶縁性合成樹脂製のハウジング本体１３と、その上面部、背面部及び側面部を覆う導電性金属板材からなるシールドカバー１４とを組み合わせることにより、そのカード挿入方向手前側端が開口した中空箱形状に形成されている。
【００３９】
また、ハウジング３には、カード挿入部２の一方の側部奥側にエジェクタ１１がカード挿抜方向で摺動可能に収容されるエジェクタ収容部１５を備え、エジェクタ収容部１５とは反対側にカード挿入部２と平行配置にプッシュバー１２がカード挿抜方向で移動可能に収容されるプッシュバー収容部１６が備えられている。
【００４０】
ハウジング本体１３は、図６に示すように、平板状の底板部２０と、底板部２０よりコネクタ幅方向に間隔を置いた平行配置に立ち上げた形状の一対の側壁部２１ａ，２１ｂとを備え、両側壁部２１ａ，２１ｂ間に上面側が凹んだ形状のカード挿入部２が形成されるとともに、一方の側壁部２１ａの奥側にカード挿入部２と一体にエジェクタ収容部１５が形成され、他方の側壁２１ｂを隔ててカード挿入部２と隣接した配置にプッシュバー収容部１６が形成され、カード挿入部２及びプッシュバー収容部１６の上面部がシールドカバー１４によって覆われている。
【００４１】
また、ハウジング本体１３には、カード挿入部２のカード挿入方向奥側であって、エジェクタ収容部１５とコネクタ幅方向で間隔を置いた位置に、台部２２の上面より突出した回動軸２３を備え、この回動軸２３が回動レバー１０の軸支孔３０に挿し込まれることにより、回動レバー１０がカード挿入部２のカード挿抜方向奥側に回動可能に軸支されるようになっている。
【００４２】
回動レバー１０は、図７に示すように、剛性を有する金属製板材により一体に形成され、矩形状のレバー本体部３１と、レバー本体部３１の一端より斜め方向に延出した形状の被押込み部３２とをもって平面視への字状に形成されている。
【００４３】
軸支孔３０は、レバー本体部３１と被押込み部３２とが交差する位置に形成され、回動レバー１０をハウジング３に軸支させた際、レバー本体部３１の先端部がエジェクタ収容部１５内に位置し、被押込み部３２がプッシュバー収容部１６の奥側に配置され、この軸支孔３０の位置を基点に回動レバー１０が回動するようになっている。
【００４４】
レバー本体部３１には、軸支孔３０と長手方向で間隔を置いた位置に本体部下面より突出した連結軸部３３を備え、この連結軸部３３がエジェクタ１１の上面部に形成された連結溝４０に挿入されることにより、レバー本体部３１の先端部がエジェクタ１１の上面部に相対移動可能に連結されるようになっている。
【００４５】
この連結軸部３３は、絞り加工により孔３４の縁部が下向き円筒状に突き出た形状に形成され、この孔３４の上面開口部にシールドカバー１４の回動レバー１０と互いに対向する内面部、即ち天板１４ａに形成された係合突起３５ａ，３５ｂを係合させることにより、所望の位置で回動レバー１０を仮ロックすることができるようになっている。
【００４６】
係合突起３５ａ，３５ｂは、天板１４ａの所望の位置を孔３４と係合可能に内側面側に凹ませて形成され、例えば、一方の係合突起３５ａはカード挿入位置Ｐ１において、他方の係合突起３５ｂはカード取出し位置Ｐ２においてそれぞれ孔３４と係合するように形成されている。
【００４７】
エジェクタ１１は、図８に示すように、絶縁性合成樹脂材により一体成形され、台形駒状のエジェクタ本体部４１と、エジェクタ本体部４１の一方の側面部より水平方向に突出した平板状の絶縁部４２とを備えている。
【００４８】
エジェクタ本体部４１は、その厚みがハウジング本体部１３の台部２２の高さと略同じとなるように形成され、下面４１ａがエジェクタ収容部１５の内底面、即ちカード挿入部２の内底面と互いに摺接している。従って、回動レバー１０は、常にハウジング３の軸支部分（台部２２）とエジェクタ１１の上面の２点で支持され、ガタつきが抑制されて安定して動作できるようになっている。尚、図中符号４１ｂは、回避用溝であり、摺動時に回避溝４１ｂに側壁部２１ａの一部が回避することによりエジェクタ１１と側壁部２１ａとが干渉しないようになっている。
【００４９】
また、エジャクタ本体部４１の厚みは、図３に示すように、コンタクト５の突出高さＨ１よりも厚く形成され、回動レバー１０がエジェクタ１１を介してハウジング３に支持され、常にコンタクト５の弾性接触片部５０の突出高さＨ１よりコネクタ厚み方向で高い位置Ｈ２に保持されるようになっている。
【００５０】
尚、回動レバー１０の保持高さＨ２は、干渉しない他のコンタクト４，４...の突出高さよりも高く設定することが望ましい。
【００５１】
このエジェクタ本体部４１の下面部には、下向きに突出したガイド用突起４３を備え、このガイド用突起４３がハウジング３の底板部２０の側部、即ちエジェクタ収容部１５の内底面にカード挿抜方向に向けたスリット状に形成されたガイド溝４４内に挿入させることにより、エジェクタ１１がこのガイド溝４４にガイドされつつ、カード挿抜方向で摺動するようになっている。
【００５２】
このエジェクタ本体部４１には、カード挿抜方向手前内側に斜めに切り欠いた形状の位置決め用嵌合部４５を備え、この位置決め用嵌合部４５とカード体Ａの位置決め用切欠き部Ａａとが互いに嵌り合うようになっており、カード体Ａの挿抜時には、エジェクタ１１がカード体１１にフィットした状態でともに移動するようになっている。
【００５３】
尚、カード体Ａが誤った方向で挿入されると、位置決め用嵌合部４５に対してカード体Ａの他の隅部が接触するので、所定のカード挿入位置Ｐ１までカード体Ａを挿し込めず、カード体Ａの誤挿入を防止できるようになっている。
【００５４】
連結溝４０は、カード挿抜方向と直交する方向、即ち、コネクタ幅方向に向けた長孔溝状に形成され、この連結溝４０内に連結軸部３３が挿入されている。また、この連結溝４０のカード挿抜方向幅は、連結軸部３３の外径と略同じ又はやや大きくなっている。
【００５５】
そして、回動レバー１０の回動動作に連動して、連結軸部３３が連結溝４０の側面４０ａ又は４０ｂを押圧するとともに、溝内を回転しつつコネクタ幅方向で移動することにより、回動レバー１０の回動動作とエジェクタ１１のカード挿抜方向の摺動とが互いに変換されるようになっている。
【００５６】
また、この連結溝４０の内側端縁４０ｃに連結軸部３３が当て止めされることにより、それ以上の回動レバー１０の回動動作を規制するようになっている。  従って、回動レバー１０の回動可能角度は、連結溝４０のコネクタ幅方向長さに依存し、この連結溝４０のコネクタ幅方向長さを調整することにより、エジェクタ１１によるカード押し出し量を調整することができるようになっている。
【００５７】
絶縁部４２は、エジェクタ本体部４１の側面より一体に突設された平板状に形成され、その摺動時にコンタクト５上を移動可能な配置に備えられ、エジャクタ本体４１がカード挿入部２の内底面上を摺動した際にこの絶縁部４２が回動レバー１０とコンタクト５との間に介在されるようになっている。
【００５８】
この絶縁部４２の下面、即ち、コンタクト５側には、コンタクト５側に膨出した凸状の押圧部４６を備え、絶縁部４２がコンタクト５上を移動する際に押圧部４６がコンタクト５の弾性接触片部５１を押し下げるようになっている。
【００５９】
押圧部４６は、図８（ｂ）に示すように、絶縁部４２のカード挿抜方向の両端部に傾斜部４６ａを備え、カード挿抜方向の中央がコンタクト５側に膨出した形状に形成されている。
【００６０】
各コンタクト４，４...及びコンタクト５は、図９に示すように配置した状態でインサート成型によりハウジング本体１３の底板部２０に組み込まれている。
【００６１】
尚、図中符号８，９は、スイッチ端子であって、コンタクト４，４...及びコンタクト５とともにインサート成型により底板部２０に組み込まれている。
【００６２】
コンタクト４，４...は、それぞれ接点部４ａを有する弾性接触片部がカード挿入部２の内底面より突出し、挿入されたカード体Ａの対応する信号伝達端子（パッド）ａ１，ａ２、ａ４〜ａ６と接触するようになっているとともに、回動レバー１０とは互いに干渉しない配置となっている。
【００６３】
また、このコンタクト４，４...の基板接続端子部４ｂは、ハウジング３底面に露出するように形成され、接続基板上に形成されたパターンに半田付けできるようになっている。
【００６４】
一方、コンタクト５は、他のコンタクト４，４...とは異なる構成を有し、エジェクタ１１の絶縁部２０の移動軌道上に配置されている。
【００６５】
このコンタクト５は、導電性金属板材を打ち抜き・折り返し加工することにより形成され、側面視への字状の弾性接触片部５０を備え、この弾性接触片部５０の可動端部５１に絶縁性部材からなる絶縁被覆体５２を備えている。
【００６６】
尚、図中符号５ｂは、基板接続端子であって、この基板接続端子５ａが他のコンタクト４，４...の基板接続端子４ｂ、４ｂ...とともにハウジング下面に露出し、接続基板に形成された接続パターンに半田付けされるようになっている。
【００６７】
弾性接触片部５０は、一端を底板部２０に支持させる支持端部５３とし、他端を底板部２０に対し移動可能な可動端部５１とする側面視へ字状に形成され、支持端部５３と可動端部５１との間にカード体Ａの信号伝達端子ａ３と接触する接点部５４が底板部２０に組み込まれた際にカード挿入部２の内底部より浮き上がった配置となるように形成されている。
【００６８】
可動端部５１は、弾性接触片部５０の先端部に一体に形成された摺動部５１ａと、摺動部５１ａの側縁より水平方向に延出した形状の固定核部５１ｂとを一体に備え、固定核部５１ｂの上面部に絶縁性合成樹脂材からなる絶縁被覆体５２が固定されている。
【００６９】
尚、導電性金属材からなる摺動部５１ａは、露出した状態にあって、図１０に示すように、弾性接触片部５０の弾性変形に伴って金属板材からなる被摺接面部５５上面に摺接され、弾性接触片部５０が両端で支持されるようになっている。
【００７０】
プッシュバー１２は、図１１に示すように、インサート成型により絶縁性合成樹脂材製のプッシュバー本体６０内に導電性金属材からなるスイッチ部材６１が組み込まれている。
【００７１】
プッシュバー本体６０は、矩形平板状に形成され、押し込み方向前縁部に段状の挿し込み部６２が形成され、この挿し込み部６２が回動レバー１０の被押込み部３２下に挿し込まれるようになっている。
【００７２】
この挿し込み部６２は、その上面部に前縁側及び外側に開口した凹部６３が形成され、プッシュバー１２の押し込み動作に伴って、この凹部６３の手前側内側面６３ａが回動レバー１０の被押込み部３２先端下面より突出した押し込み軸部６４に当接し、エジェクタ１１がカード取り出し位置Ｐ２側へ移動する方向に押圧するようになっている。
【００７３】
一方、押し込み軸６４に対し凹部手前側内側面６３ａでのみ当接するので、プッシュバー１２は、回動レバー１０より離脱可能な状態にある。
【００７４】
また、プッシュバー本体６０の一方の側部には、内側に突出した付勢部６５が一体に形成され、この付勢部６５とプッシュバー収容部１６の奥側内側面部との間にコイルスプリング等のバネ体６６が介在され、このバネ体６６がハウジング本体１３に反力を取ってプッシュバー１２を回動レバー１０より離脱する方向に付勢するようになっている。
【００７５】
スイッチ部材６１は、導電性金属板材を打ち抜き・折り曲げ加工することにより一体形成され、矩形枠状の基部７０と、基部７０の内側縁より斜め方向に切り起こした形状の一対の弾性スイッチ片部７１，７２とを備えている。
【００７６】
弾性スイッチ片部７１，７２は、互いにスイッチ挿抜方向で逆に向け、且つ、先端を底面側に浮かせた片持ち板ばね状に形成され、プッシュバー本体６０の中央部に形成された上下に貫通した露出孔７３を通してプッシュバー本体６０の底面に露出するようになっている。
【００７７】
また、スイッチ部材６１は、プッシュバー本体６０の後端側に配置された操作部６７の後端面に露出するように配置された押し当て板部７４を備え、この押し当て板部７４をピン状の押し込み部材により押圧し、プッシュバー１２をカード挿入方向で押し込むようになっている。
【００７８】
また、このプッシュバー１２には、露出孔７３にプッシュバー収容部１６の内底面より突出したスイッチ用凸部８１，８２が挿入されており、スイッチ用凸部８１の奥側端面に当て止めされて、プッシュバー１２の抜き出し方向の移動が規制されている。
【００７９】
このスイッチ用凸部８１，８２は、カード挿抜方向で互い違いとなるように配置されている。そのため、プッシュバー本体６０には、露出孔７３と連続配置に回避部７３ａが形成され、プッシュバー１２を押し込んだ際には、この回避部７３ａに奥側のスイッチ用凸部８２が入り込むようになっている。
【００８０】
各スイッチ用凸部８１，８２は、手前側に傾斜部８１ａ，８１ｂを有する側面視台形状に形成され、その上面部には、スイッチ端子８，９のスイッチパターン部８ａ，９ａが露出されている。
【００８１】
スイッチ端子８，９は、図９に示すように、導電性金属板材を打ち抜き・折り曲げ加工することにより一体に形成され、各スイッチ用凸部８１，８２上面に露出するスイッチパターン部８ａ，９ａと、各コンタクト４，４...の基板接続端子部４ｂと並んでハウジング下面に露出する基板接続部８ｂ、９ｂとを備えている。
【００８２】
よって、プッシュバー１２を押し込むと、図１２（ｂ）に示すように、所望の位置で各弾性スイッチ片部７１，７２がスイッチ用凸部８１，８２上に乗り上げ、スイッチ用凸部８１，８２上面のスイッチパターン部８ａ，９ａに各弾性スイッチ片部７１，７２がそれぞれ接触し、スイッチ部材６１を介してスイッチ端子８，９間が導通されるようになっている。
【００８３】
即ち、プッシュバー１２及びスイッチ端子８，９は、スライドスイッチを構成し、このスライドスイッチのオンオフの切替によりプッシュバー１２の押し込み動作を検知できるようになっている。
【００８４】
このように構成されたカードコネクタ１では、カード体Ａがカード挿入部２に挿入されている場合、図１３（ａ）に示すように、エジェクタ１１が所望のカード挿入位置Ｐ１にあり、それに連動して回動レバー１０の位置は、レバー本体部３１が略コネクタ幅方向と平行となる位置であって、被押込み部３２がプッシュバー収容部１６内に突出するような位置にある。
【００８５】
この状態において、プッシュバー１２は、バネ体６６により付勢されてプッシュバー収容部１６の手前側端部に位置し、挿し込み部６２が被押込み部３２下に挿し込まれた状態にあって、且つ押し込み可能な状態にある。
【００８６】
図１３（ａ）〜図１３（ｂ）に示すように、この状態よりプッシュバー１２を押し込むと、プッシュバー１２の凹部側面６３ａが押し込み軸部６４と当接し、更にプッシュバー１２を押し込むと、図１３（ｂ）〜図１３（ｃ）に示すように、プッシュバー１２が回動レバー１０の一端、即ち、被押込み部３２を奥側に押し込む。
【００８７】
このように端部が押し込まれた回動レバー１０は、回動軸２３を基軸にエジェクタ１１がカード取り出し位置Ｐ２側へ移動する方向、即ち、ここでは水平逆時計回り方向に回動し、これに連動してエジェクタ１１がカード挿入位置Ｐ１からカード取出し位置Ｐ２までカード挿入部２の内底面上を摺動し、このエジェクタ１１に押されてカード体Ａが押し出される。
【００８８】
その際、エジェクタ１１が回動レバー１０の先端に相対移動可能に連結されているので、回動レバー１１の回転運動が効率よくカード押し出し方向の力に変換され、カード体Ａを押し出すことができる。
【００８９】
また、回動レバー１０がエジェクタ１１を介してハウジング３に支持され、常にコンタクト５の弾性接触片部５０の突出高さＨ１よりコネクタ厚み方向で高い位置Ｈ２に保持され、回動レバー１０とコンタクト５とが接触することがないので、回動レバー１０の回動可能角度を制限せずともよく、回動レバー１０をコンタクト５上まで到達できるようにすること、即ち、回動レバー１０をコンタクト５とオーバーラップさせることができる。
【００９０】
また、それに伴ってカード体Ａの押し出し量も多く取ることができ、好適にカード体Ａを取り出すことができる。
【００９１】
更に、このカードコネクタ１では、絶縁部４２がコンタクト５と回動レバー１０との間に介在され、コンタクト５と回動レバー１０とが確実に絶縁されるので、回動レバー１０をコンタクト５上まで到達できるようにすること、即ち、回動レバー１０をコンタクト５とオーバーラップさせた場合でも意図しない短絡を防止できる。
【００９２】
また、回動レバー１０とコンタクト５とをオーバーラップさせた場合であっても、回動レバー１０とコンタクト５とは接触せず、且つ、コンタクト５と接触する可能性のあるエジェクタ１１（絶縁部２０）は、常にカード挿抜方向でのみ移動するので、コンタクト５に対し、意図しない方向の力、即ち、コネクタ幅方向の力が作用することがないので、コンタクト５が座屈することを防止できる。
【００９３】
更に、絶縁部の下面に押圧部４６を設けておくことにより、エジェクタ１１がコンタクト５上を移動する際に、絶縁部４２の押圧部４６が弾性接触片部５１のへの字状の手前側より近づき、傾斜部４６ａが傾斜面に当接し、押圧部４６の下端面部を接点部５４に誘導し、そして、絶縁部４２により押し下げて、弾性接触片部５１が弾性変形する。
【００９４】
その際、エジェクタ１１には、絶縁部４２にコンタクト５が弾性接触することによって、カード挿抜方向の抵抗が生じ、当該抵抗によって回動レバー１０の勢いに対しダンパー効果を発揮し、回動レバー１０を介して伝達されるプッシュバー１２の押し込み動作時の勢いを好適に緩和し、カード体Ａの飛び出しを防止できる。
【００９５】
一方、カード体Ａの取出しが完了したら、図１３（ｄ）に示すようにプッシュバー１２はバネ体６６により付勢されて元の位置に復帰する。
【００９６】
このように、プッシュバー１２を回動レバー１０より離脱可能に配置するとともに、プッシュバー１２を回動レバー１０より離脱する方向に付勢するバネ体６６を備えたことで、押し込み動作時以外、プッシュバー１２が回動レバー１０の位置に関係なく常に押し込み可能な原点位置にあるので、誤操作にも対応することができる。
【００９７】
尚、上述の実施例では、カード体Ａとして図５に示す如きカードを使用した例について説明したが、カード体の構成は上述の実施例に限定されず、フラッシュメモリーカード等の他のカードであってもよく、また、カードトレイやカードアダプタにカードを収容するようにしたものであってもよい。
【００９８】
また、上述の実施例では、エジェクタ１１にコンタクト５と回動レバー１０との間に介在される絶縁部を一体に備えた例について説明したが、エジェクタ１１の形態はこれに拘泥されず、例えば、回動レバー１０が弾性接触片部５０の突出高さＨ１より高い位置Ｈ２に保持されていれば、絶縁部４２は設けずともよく、また、絶縁部４２に押圧部４６を設けず、回動レバー１０とコンタクト５との間に絶縁部４２が介在されてもコンタクト５とは接触しないようにしてもよい。
【００９９】
また、コンタクト４，５の形状は、上述の実施例に示したものに限定されず、例えば、コンタクト５がコンタクト４と同様に片持ちばね状であってもよく、全てがコンタクト５と同様にへの字状の弾性接触片部を有するものであってもよい。
【符号の説明】
【０１００】
Ａ  カード体
１  カードコネクタ
２  カード挿入部
３  ハウジング
４  コンタクト
５  コンタクト
６  カード取出し機構
８，９  スイッチ端子
１０  回動レバー
１１  エジェクタ
１２  プッシュバー
１３  ハウジング本体
１４  シールドカバー
１５  エジェクタ収容部
１６  プッシュバー収容部
２０  底板部
２１  側壁
２２  台部
２３  回動軸
３０  挿入孔
３１  レバー本体部
３２  被押込み部
３３  連結軸部
４０  連結溝
４１  エジェクタ本体部
４２  絶縁部
４３  ガイド用突起
４４  ガイド溝
４５  位置決め用嵌合部
４６  押圧部
５０  弾性接触片部
５１  可動端部
５２  絶縁被覆体
５３  支持端部
５４  接点部
５５  被摺接面部
６０  プッシュバー本体
６１  スイッチ部材
６２  挿し込み部
６３  凹部
６４  押し込み軸
６５  付勢部
６６  バネ体
６７  操作部
７０  基部
７１，７２  弾性スイッチ片部
７３  露出孔
７４  押し当て板部
８１，８２  スイッチ用凸部
【図１】
2014203613.tif 000003
【図２】
2014203613.tif 000004
【図３】
2014203613.tif 000005
【図４】
2014203613.tif 000006
【図５】
2014203613.tif 000007
【図６】
2014203613.tif 000008
【図７】
2014203613.tif 000009
【図８】
2014203613.tif 000010
【図９】
2014203613.tif 000011
【図１０】
2014203613.tif 000012
【図１１】
2014203613.tif 000013
【図１２】
2014203613.tif 000014
【図１３】
2014203613.tif 000015